(57)【要約】      （修正有）【課題】菓子を食べ終わった後においてもナイフやフォークスプーンなどのカトラリーとして再利用することができる発光菓子キットを提供する。【解決手段】棒状体２の上端部に被着された菓子３を発光させるキットであって、棒状体の上半部をスプーン（カトラリー）２Ａで構成し、スプーンの先端部の周囲に、透光性を有する菓子を被着するとともに、電池（電源）と、電池から供給される電力によって発光するＬＥＤ（発光体）と、電池からＬＥＤへの電力の供給を断接するスイッチ１３を備える発光装置を棒状体の内部に収容して構成される。棒状体をスプーン２Ａとそれ以外のグリップ部２Ｂとに２分割するとともに、両者を着脱可能に連結一体化しても良い。【選択図】図１
0003231486.tif 000002
【実用新案登録請求の範囲】
【請求項１】
棒状体の上端部に被着された菓子を発光させるキットであって、
前記棒状体の上半部をカトラリーで構成し、該カトラリーの先端部の周囲に、透光性を有する前記菓子を被着するとともに、
電源と、該電源から供給される電力によって発光する発光体と、前記電源から前記発光体への電力の供給を断接するスイッチを備える発光装置を前記棒状体の内部に収容して構成されることを特徴とする発光菓子キット。
【請求項２】
前記棒状体を前記カトラリーとそれ以外のグリップ部とに２分割するとともに、両者を着脱可能に連結一体化したことを特徴とする請求項１に記載の発光菓子キット。
【請求項３】
前記カトラリーと前記グリップ部の一方に雄ネジを形成し、他方に雌ネジを形成し、前記雄ネジを前記雌ネジに螺着することによって、前記カトラリーと前記グリップ部とを着脱可能に連結一体化したことを特徴とする請求項２に記載の発光菓子キット。
【請求項４】
前記発光装置の前記電源と前記スイッチを前記グリップ部に収容するとともに、前記発光体を前記カトラリーの内部に配置したことを特徴とする請求項２または３に記載の発光菓子キット。
【請求項５】
前記発光体をＬＥＤで構成するとともに、前記カトラリーの先端部の表面にシボ加工を施したことを特徴とする請求項４に記載の発光菓子キット。
【請求項６】
前記電源から前記発光体への電力の供給を制御する制御手段を設け、該制御手段によって前記発光体から出射する光の色を変化させることを特徴とする請求項１〜５の何れかに記載の発光菓子キット。
【請求項７】
前記制御手段によって前記発光体を点滅させることを特徴とする請求項６に記載の発光菓子キット。
【考案の詳細な説明】
【技術分野】
【０００１】
本考案は、棒状体の上端部に被着された菓子を発光させるようにした発光菓子キットに関する。
【背景技術】
【０００２】
棒状体の先端に飴などの菓子を被着した商品は、一般的に普及しているが、菓子自体を発光させると、消費者の興味を大いにそそることが容易に想像されるところである。
【０００３】
そこで、例えば、特許文献１には、棒本体の外周面に透光性を有する菓子を取り付けるとともに、棒本体の内部に発光装置を収容し、発光装置のＬＥＤなどの発光体から出射する光によって菓子を発光させるようにした発光菓子が提案されている。
【０００４】
また、特許文献２には、ＬＥＤなどの発光体を把持棒の上端部（菓子の略中心部）に配置したものが提案されている。
【先行技術文献】
【特許文献】
【０００５】
【特許文献１】特開平５−１５３９１１号公報
【特許文献２】実用新案登録第３１８１９６８号公報
【考案の概要】
【考案が解決しようとする課題】
【０００６】
しかしながら、特許文献１，２において提案された発光菓子においては、飴などの菓子を食べ終わった後には、棒本体（把持棒）が発光装置と共に残り、この残った棒本体（把持棒）や発光装置は、再利用されることなく、そのまま廃棄されている。ＬＥＤなどの発光体や電源、スイッチなどを備える発光装置は、比較的高価であるために経済的な損失が大きいという問題がある。
【０００７】
本考案は、上記問題に鑑みてなされたもので、その目的は、菓子を食べ終わった後においてもナイフやフォーク、スプーンなどのカトラリーとして再利用することができる発光菓子キットを提供することにある。
【課題を解決するための手段】
【０００８】
上記目的を達成するため、請求項１記載の考案は、棒状体の上端部に被着された菓子を発光させるキットであって、前記棒状体の上半部をカトラリーで構成し、該カトラリーの先端部の周囲に、透光性を有する前記菓子を被着するとともに、電源と、該電源から供給される電力によって発光する発光体と、前記電源から前記発光体への電力の供給を断接するスイッチを備える発光装置を前記棒状体の内部に収容して構成されることを特徴とする。
【０００９】
請求項２に記載の考案は、請求項１に記載の考案において、前記棒状体を前記カトラリーとそれ以外のグリップ部とに２分割するとともに、両者を着脱可能に連結一体化したことを特徴とする。
【００１０】
請求項３に記載の考案は、請求項２に記載の考案において、前記カトラリーと前記グリップ部の一方に雄ネジを形成し、他方に雌ネジを形成し、前記雄ネジを前記雌ネジに螺着することによって、前記カトラリーと前記グリップ部とを着脱可能に連結一体化したことを特徴とする。
【００１１】
請求項４に記載の考案は、請求項２または３に記載の考案において、前記発光装置の前記電源と前記スイッチを前記グリップ部に収容するとともに、前記発光体を前記カトラリーの内部に配置したことを特徴とする。
【００１２】
請求項５に記載の考案は、請求項４に記載の考案において、前記発光体をＬＥＤで構成するとともに、前記カトラリーの先端部の表面にシボ加工を施したことを特徴とする。
【００１３】
請求項６に記載の考案は、請求項１〜５の何れかに記載の考案において、前記電源から前記発光体への電力の供給を制御する制御手段を設け、該制御手段によって前記発光体から出射する光の色を変化させることを特徴とする。
【００１４】
請求項７に記載の考案は、請求項６に記載の考案において、前記制御手段によって前記発光体を点滅させることを特徴とする。
【考案の効果】
【００１５】
請求項１に記載の考案によれば、発光装置の発光部から出射する光によって菓子が発光するため、消費者（特に子供）の興味を引き、購買意欲が増す。そして、当該発光菓子キットにおいて菓子を食べ終わった後には、棒状体の菓子が被着されていた箇所（上半部）にはスプーンやフォークなどのカトラリーが現れる。この場合、棒状体のグリップ部はカトラリーの柄として機能するため、消費者は、菓子を食べ終わった後の発光菓子キットを廃棄することなくカトラリーとして使用することができ、しかも、カトラリーの先端部を発光させることができるため、使用者の興味や感動が継続する。
【００１６】
請求項２及び３に記載の考案によれば、棒状体をカトラリーとグリップ部とに２分割し、両者を着脱可能に連結一体化したため、菓子を食べ終わった後の発光菓子キットからカトラリーを簡単に取り外して洗浄することができて衛生的である。また、カトラリーを他のカトラリーと交換することによって、使用するカトラリーの種類を変えることができる。
【００１７】
請求項３に記載の考案によれば、棒状体のカトラリーとグリップ部とをネジ結合したため、両者を簡単に分解及び組み立てることができる。
【００１８】
請求項４及び５に記載の考案によれば、カトラリーの内部に配置された発光体から出射する光がカトラリーの表面に施されたシボ加工による多数の微小な凹凸によって拡散するため、カトラリーの先端部とこれに被着された菓子が均一に発光する。
【００１９】
請求項６に記載の考案によれば、制御手段によって発光体から出射する光の色を変化させることによって、菓子を様々な色で鮮やかに発光させることができ、消費者の興味と感動を高めることができる。
【００２０】
請求項７に記載の考案によれば、制御手段によって発光体を点滅させることによって、発光の消費者の興味と感動をさらに高めることができる。
【図面の簡単な説明】
【００２１】
【図１】本考案に係る発光菓子キットを示す図であって、（ａ）は正面図、（ｂ）は側面図である。
【図２】本考案に係る発光菓子キットの発光装置の基本構成を示すブロック図である。
【図３】本考案に係る発光菓子キットにおいて菓子を食べ終わった後の状態を示す図であって、（ａ）は破断正面図、（ｂ）は側面図である。
【図４】図３（ａ）のＡ−Ａ線断面図である。
【図５】本考案に係る発光菓子キットの菓子を食べ終わった後の状態を示す分解破断正面図である。
【考案を実施するための形態】
【００２２】
以下に本考案の実施の形態を添付図面に基づいて説明する。
【００２３】
図１は本考案に係る本考案に係る発光菓子キットを示す図であって、（ａ）は正面図、（ｂ）は側面図、図２は同発光菓子キットの発光装置の基本構成を示すブロック図、図３は同発光菓子キットにおいて菓子を食べ終わった後の状態を示す図であって、（ａ）は破断正面図、（ｂ）は側面図、図４は図３（ａ）のＡ−Ａ線断面図、図５は同発光菓子キットの菓子を食べ終わった後の状態を示す分解破断正面図である。なお、以下の説明においては、図３に矢印にて示す方向をそれぞれ「上」及び「下」とする。
【００２４】
図１に示す本考案に係る発光菓子キット１は、棒状体２の上端部に被着された菓子３を発光させるキットであって、棒状体２は、その全体がＡＢＳ樹脂によって丸棒状に成形されている。具体的には、棒状体２の上半部は、図３に示すように、カトラリーの１つであるスプーン２Ａで構成されており、下半部は、消費者が手で握る部分であるグリップ部２Ｂを構成している。ここで、スプーン２Ａには、楕円曲面状の凹部（すくい部）２Ａ１と、この凹部２Ａ１から下方に向かって一体に延びる軸部（柄の一部）２Ａ２が含まれている。ここで、スプーン２Ａの凹部の表面には、光拡散処理としてシボ加工が施されている。
【００２５】
また、グリップ部２Ｂは、消費者が手で握り易い太さの円筒状に成形されており、その高さ方向中央部がなだらかに膨らんでいる。なお、本実施の形態では、棒状体２の上半部をスプーン２Ａで構成したが、このスプーン２Ａに代えてフォークやナイフなどの他のカトラリーで棒状体２の上半部を構成しても良い。
【００２６】
そして、棒状体２の上端部、具体的には、棒状体２の上半部に設けられたスプーン２Ａの凹部２Ａ１と軸部２Ａ２の一部の周囲には、菓子として透光性を有するハート形の菓子（本実施の形態では、飴）３が被着されている。なお、本実施の形態では、菓子３として飴を採用したが、菓子３としては、飴以外に例えばクッキーやキャンディなどを用いても良い。また、菓子３の形状についても任意であって、ハート形以外の形状、例えば、星形、丸、三角、四角、ひし形などの任意の形状を選択することができる。
【００２７】
また、棒状体２の内部には、菓子３を発光させるための発光装置１０が収容されている。ここで、発光装置１０は、図２に示すように、電源である小型の電池１１と、該電池１１から供給される電力によって発光する発光体としてのＬＥＤ１２と、電池１１からＬＥＤ１２への電力の供給を断接（ＯＮ／ＯＦＦ）するスイッチ１３と、電池１１からＬＥＤ１２への電力の供給を制御する制御手段としての制御基板１４によって構成されている。ここで、ＬＥＤ１２は、図３に示すように、スプーン２Ａの中空状の軸部２Ａ２内の凹部２Ａ１に近い上端部に配置されており、このＬＥＤ１２には、制御基板１４から延びる配線１５が電気的に接続されている。また、発光装置１０に設けられたスイッチ１３は、丸いプッシュ式のものであって、図１及び図３に示すように、棒状体２のグリップ部２Ｂの中間高さ位置に露出するように配置されている。
【００２８】
ここで、ＬＥＤ１２は、その光出射方向が上向きとなるように設置されており、このＬＥＤ１２は、異なる複数の色の光（本実施の形態では、赤色光と白色光及び青色光）を出射することができる。なお、本実施の形態では、ＬＥＤ１２をスプーン２Ａの軸部２Ａ２内の上端部に配置したが、スプーン２Ａの凹部２Ａ１の中心部に配置しても良い。
【００２９】
ところで、図３に示すように、棒状体２は、上半部のスプーン２Ａと下半部のグリップ部２Ｂとに２分割されており、これらのスプーン２Ａとグリップ部２Ｂとはネジ結合によって着脱可能に連結一体化されている。すなわち、図４に示すように、スプーン２Ａの下端には、下方に向かって同心状に一体に突出する円柱状の雄ネジ２ａが形成されており、グリップ部２Ｂの上端には、円穴状の雌ネジ２ｂが同心状に形成されている。そして、スプーン２Ａに形成された雄ネジ２ａをグリップ部２Ｂに形成された雌ネジ２ｂにねじ込むことによって、スプーン２Ａとグリップ部２Ｂが着脱可能に連結一体化される。なお、本実施の形態では、スプーン２Ａとグリップ部２Ｂとをネジ結合によって着脱可能に連結一体化する構造を採用したが、スプーン２Ａとグリップ部２Ｂとを着脱可能に連結一体化する構造としては、他の任意の構造、例えば、単に差し込むだけの構造、バヨネット構造などを採用することができる。
【００３０】
而して、以上のように構成された図１に示す発光菓子キット１において、消費者（特に子供）が棒状体２のグリップ部２Ｂを手で握って当該発光菓子キット１を持った状態で、スイッチ１３を押してこれをＯＮすると、電池１１から電力が制御基板１４を経てＬＥＤ１２へと供給される。すると、ＬＥＤ１２が発光し、このＬＥＤ１２から上方に向かって出射する光は、スプーン２Ａの凹部２Ａ１へと導かれる。ここで、凹部２Ａ１の表面には、前述のように光拡散処理としてのシボ加工が施されているため、凹部２Ａ１へと導かれた光は、シボ加工によって形成された多数の微小な凹凸で乱反射して周囲に拡散し、凹部２Ａ１とその周囲に被着された菓子３が均一に発光する。このように菓子３が発光すると、消費者は、このことに興味と感動を覚える。
【００３１】
ところで、本実施の形態では、制御基板１４によってＬＥＤ１２から出射する光の色を変化させるようにしている。具体的には、制御基板１４の制御によってＬＥＤ１２が赤色光と白色光及び青色光を順次出射することによって、図１に示すように、菓子３の上から１／３の部分が赤色に発光し、次に、その下の１／３の部分（高さ方向中央部分）が白色に発光し、最後にその下の１／３の部分（最下部）が青色に発光し、以後、同様の発光が順次繰り返される。このように菓子３が異なる色で順次発光することによって、菓子３を様々な色で鮮やかに発光させることができ、消費者の興味と感動を高めることができる。また、制御基板１４によってＬＥＤ１２を点滅させることもでき、このようにすることによって、消費者の興味と感動がさらに高められる。
【００３２】
その後、消費者である例えば子供が菓子（本実施の形態では、飴）３を全て食べ終わった場合、棒状体２の菓子３が被着されていた箇所（上半部）には、図３に示すように、カテラリーの１つであるスプーン２Ａが現れる。この場合、棒状体２のグリップ部２Ｂはスプーン２Ａの柄として機能するため、消費者は、菓子３を食べ終わった後の発光菓子キット１を廃棄することなく、これをカトラリーの１つであるスプーンとして使用することができ、しかも、スプーン２Ａの先端部を発光させることができるため、消費者の興味や感動が継続する。
【００３３】
また、本実施の形態では、発光菓子キット１の棒状体２をスプーン２Ａとグリップ部２Ｂとに２分割し、両者をネジ結合によって着脱可能に連結一体化したため、図５に示すように、菓子３を食べ終わった後の発光菓子キット１からスプーン２Ａを簡単に取り外して洗浄することができて衛生的である。また、スプーン２Ａを他のカトラリー、すなわち、フォークやナイフなどと交換することによって、使用するカトラリーの種類を変えることができる。
【００３４】
なお、本考案は、以上説明した実施の形態に適用が限定されるものではなく、実用新案登録請求の範囲及び明細書と図面に記載された技術的思想の範囲内で種々の変形が可能であることは勿論である。
【符号の説明】
【００３５】
１        発光菓子キット
２        棒状体
２Ａ      スプーン(カトラリー）
２Ａ１    スプーンの凹部
２Ａ２    スプーンの軸部
２Ｂ      グリップ部
２ａ      雄ネジ
２ｂ      雌ネジ
３        菓子
１０      発光装置
１１      電池（電源）
１２      ＬＥＤ（発光体）
１３      スイッチ
１４      制御基板（制御手段）
１５      配線
【図１】
0003231486.tif 000003
【図２】
0003231486.tif 000004
【図３】
0003231486.tif 000005
【図４】
0003231486.tif 000006
【図５】
0003231486.tif 000007